(57)【要約】      （修正有）【課題】載置トレイにセットされたシートの枚数をカウントする画像処理装置を提供する。【解決手段】画像処理装置１００は、載置部と、搬送部と、読取部と、操作部と、カウント処理部と、制御部を備える。載置部はシートを載置する。搬送部は、載置部に載置されたシートを搬送する。読取部は、搬送部を搬送されるシートの表面を読み取る。操作部は、各種モードの選択を受け付ける。カウント処理部は、搬送部がシートを搬送するたびに第１のカウント値をインクリメントする。制御部は、操作部によって読取モードが選択された場合は、搬送されるシートの表面を読取部により読み取り、カウントモードが選択された場合は、搬送されるシートの表面を読取部で読み取らず、搬送したシートの枚数をカウントする。【選択図】図２
2020191515.tif 000002
【特許請求の範囲】
【請求項１】
シートを載置する載置部と、
前記載置部に載置されたシートを搬送する搬送部と、
前記搬送部を搬送される前記シートの表面を読み取る読取部と、
各種モードの選択を受け付ける操作部と、
前記搬送部がシートを搬送するたびに第１のカウント値をインクリメントするカウント部と、
前記操作部によって読取モードが選択された場合は搬送される前記シートの表面を読取部により読み取り、カウントモードが選択された場合は搬送される前記シートの表面を読取部で読み取らず、搬送した前記シートの枚数をカウントする制御部と、
を備える画像処理装置。
【請求項２】
シートを載置する載置部と、
前記載置部に載置されたシートを搬送する搬送部と、
前記搬送部を搬送される前記シート上に画像を形成する画像形成部と、
各種モードの選択を受け付ける操作部と、
前記搬送部がシートを搬送するたびに第２のカウント値をインクリメントするカウント部と、
前記操作部によってシート番号形成モードが選択された場合は前記画像形成部により搬送される前記シート上に前記第２のカウント値を形成させる制御部と、
を備える画像処理装置。
【請求項３】
所定の値を記憶する第１の記憶部をさらに有し、
前記制御部は前記カウント部がカウントした前記第２のカウント値が前記第１の記憶部に記憶されていた第３のカウント値と異なる場合に前記表示部にエラーを表示させる画像処理装置。
【請求項４】
前記所定の値は搬送部がシートを搬送するたびに前記カウント部がインクリメントした第３のカウント値である請求項３に記載の画像処理装置。
【請求項５】
複数の前記カウント値を記憶する第２の記憶部をさらに備え、
前記制御部は前記第２の記憶部に記憶されている複数の前記カウント値を前記表示部に同時に表示する請求項１乃至４に記載の画像処理装置。
【発明の詳細な説明】
【技術分野】
【０００１】
本発明の実施形態は、シートの枚数をカウントする画像処理装置に関する。
【背景技術】
【０００２】
従来、画像処理装置の読取部に複数枚のシートをセットし、読取を実行させることでシートの枚数をカウントする技術が知られている。この技術は読み取った画像データにページ番号を追記してその画像データに基づいて印刷することによりシートの枚数をユーザに知らせることが出来る。
【０００３】
しかし、シートの枚数を知りたいだけであっても余分な印刷を行ってしまうため印刷に使用する紙の分だけ資源が無駄になっていた。また、印刷を行うため余分な時間がかかっていた。
【先行技術文献】
【特許文献】
【０００４】
【特許文献１】特開２００７−２５８８５９号公報
【発明の概要】
【発明が解決しようとする課題】
【０００５】
本発明が解決しようとする課題は、載置トレイにセットされたシートの枚数をカウントする画像処理装置を提供することである。
【課題を解決するための手段】
【０００６】
上記課題を解決するために、本実施形態の画像処理装置は、載置部と、搬送部と、読取部と、操作部と、カウント部と、制御部を備える。載置部はシートを載置する。搬送部は載置部に載置されたシートを搬送する。読取部は搬送部を搬送されるシートの表面を読み取る。操作部は各種モードの選択を受け付ける。カウント部は搬送部がシートを搬送するたびに第１のカウント値をインクリメントする。制御部は操作部によって読取モードが選択された場合は搬送されるシートの表面を読取部により読み取り、カウントモードが選択された場合は搬送されるシートの表面を読取部で読み取らず、搬送したシートの枚数をカウントする。
【図面の簡単な説明】
【０００７】
【図１】第１の実施形態における画像処理装置の断面図。
【図２】第１の実施形態における画像処理装置のハードウェア構成の制御ブロック図。
【図３】第１の実施形態における表示部が表示するホーム画面示す図。
【図４】第１の実施形態におけるカウント処理部の構成を示すブロック図。
【図５】第１の実施形態における表示部が表示する枚数表示を示す図。
【図６】第１の実施形態における表示部が表示するカウント履歴を示す図。
【図７】第１の実施形態におけるカウント処理の制御を示すフローチャート。
【図８】第２の実施形態におけるページ番号形成処理の制御を示すフローチャート。
【図９】第２の実施形態における枚数カウント後の表示部の表示を示す図。
【図１０】第２の実施形態におけるカウント処理部の構成を示すブロック図。
【図１１】第２の実施形態における第１の画像データを示す図。
【図１２】第２の実施形態における第２の画像データを示す図。
【図１３】第２の実施形態におけるシート番号追加処理を示すフローチャート。
【発明を実施するための形態】
【０００８】
以下、発明を実施するための実施形態について、図面を参照して説明する。
【０００９】
（第１の実施形態）
画像処理装置１００は、例えばシートにトナーによる画像の形成が可能な複合機（ＭＦＰ；Ｍｕｌｔｉ  Ｆｕｎｃｔｉｏｎ  Ｐｅｒｉｐｈｅｒａｌ）である。
【００１０】
図１は、第１の実施形態に係る画像処理装置１００の断面図である。画像処理装置１００は読取部１１０、シート収容部１２０、搬送部１３０、画像形成部１４０、定着部１５０、および排紙部１６０を有する。
【００１１】
読取部１１０は、例えば読取対象となるシート上に形成された画像を読み取る。読取部１１０は読取トレイ１１２、読取搬送部１１４、スキャナ１１６、及び読取排紙部１１８を有する。つまり、読取部１１０は読取トレイ１１２に載置されたシートを読取搬送部１１４により読取部１１０内部へ搬送しスキャナ１１６によってシート上の画像を読取るオートドキュメントフィーダーである。読取トレイ１１２は載置トレイの一例である。読取トレイ１１２には図示しない載置センサが設けられており、シートが読取トレイ１１２上に載置されたことを検知する。また、読取部１１０はスキャナ１１６による画像読取を行わずにシートを搬送することが出来る。後述するように読取部１１０がシートの枚数をカウントする際はスキャナ１１６による画像の読み取りを行わなくても良い。読取排紙部１１８は読取搬送部１１４を搬送されたシートを排紙する。また、読取部１１０は図示しない原稿台を有する。原稿台はガラス面のシート載置台を有しており、シート載置台に置かれたシートの表面をガラス面の下にあるスキャナ１１６で読み取ることが出来る。
【００１２】
読取部１１０は、読み取った画像情報を画像データとして後述する記憶部１８０へ保存する。記憶部１８０に保存された画像データは、ネットワークを介して他の情報処理装置に送信されても良い。また、記憶部１８０に保存された画像データは、後述する画像形成部１４０によって別のシート上に形成されても良い。
【００１３】
シート収容部１２０は、筐体下部に設けられ、複数の給紙カセット１２２Ａ、１２２Ｂ、及び１２２Ｃを備える。各給紙カセット１２２Ａ、１２２Ｂ、及び１２２Ｃは、それぞれに所定のサイズ及び種類のシートを収納する。シート収容部１２０は載置部の一例である。尚、各給紙カセット１２２Ａ、１２２Ｂ、及び１２２Ｃの設定は適宜変更可能である。各給紙カセット１２２Ａ、１２２Ｂ、及び１２２Ｃは、それぞれピックアップローラ１２４Ａ、１２４Ｂ、及び１２４Ｃを備える。各ピックアップローラ１２４Ａ、１２４Ｂ、及び１２４Ｃは、各給紙カセット１２２Ａ、１２２Ｂ、及び１２２Ｃからシートを１枚ずつ取り出す。ピックアップローラ１２４Ａ、１２４Ｂ、及び１２４Ｃは、取り出したシートを搬送路１３２へ搬送する。
【００１４】
搬送部１３０は、給紙ローラ１２０Ａ、１２０Ｂ、１２０Ｃ、搬送路１３２、レジストローラ１３４、及び複数の搬送ローラ１３２Ａを有する。給紙ローラ１２０Ａ、１２０Ｂ、及び１２０Ｃは、それぞれピックアップローラ１２４Ａ、１２４Ｂ、及び１２４Ｃによって給紙カセット１０５から搬送されるシートをレジストローラ１３４へ搬送路１３２に沿って搬送する。
【００１５】
搬送路１３２はシートを搬送する経路である。搬送路１３２は搬送路１３２Ａ、搬送路１３２Ｂ、および搬送路１３２Ｃを有する。搬送路１３２Ａはシート収容部１２０から後述する画像形成部１４０および定着部１５０を経てシートを排紙部１６０へ搬送するための経路である。搬送路１３２Ｂは搬送路１３２Ａを搬送されるシートの表裏を反転するための経路である。搬送路１３２Ａを搬送されるシートは分岐点Ａにて搬送経路１３２Ｂへと進路を変更する。搬送路１３２Ｂを搬送されたシートは合流点Ａにて搬送路１３２Ａへ進路を変更する。搬送路１３２Ｃは手差しトレイ２２２に載置されたシートを搬送する経路である。搬送路１３２Ｃを搬送されたシートは合流点Ｃにて搬送路１３２Ａへ進路を変更する。
【００１６】
レジストローラ１３４は、後述する画像形成部１４０が転写ベルト上にトナーにより形成した画像をシートの表面上に転写するタイミングに合わせて、シートを転写ローラ１４９へ搬送する。搬送ローラ１３２Ａは、搬送路１３２に複数備えられており、給紙されたシートを搬送路１３２に沿って排紙部１６０まで搬送する。
【００１７】
画像形成部１４０は搬送路１３２Ａに沿って定着部１５０の上流に配置される。画像形成部１４０は、画像形成ユニットとして、現像器１４２、感光体ドラム１４４、露光器１４６、及び図示しない帯電部を有する。帯電部は、感光体ドラム１４４の表面（感光体層）に一様に帯電させる。露光部１３５Ｃがレーザ光の照射により感光体ドラム１４４の表面に静電潜像を形成する。この静電潜像に対し、現像器１４２がトナーを付加することで現像を行う。また、画像形成部１４０は、転写ユニットとして、転写ベルト１４８と転写ローラ１４９を備える。画像形成ユニットで現像されたトナーは転写ベルト１４８に転写される（一次転写）。転写ローラ１４９は、転写ベルト１４８上に形成された画像をシート上に転写する（二次転写）。シートに転写されたトナーは、後述する定着部１５０によりシートに定着させられる。
【００１８】
以上のように画像形成部１４０は、トナーによってシートの表面上に画像を形成する。本実施形態におけるトナーは、非消色性記録剤のトナー（以下、通常トナー）と、消色性記録剤のトナー（以下、消色トナー）を含む。通常トナーは、例えば、イエロー（Ｙ）、マゼンタ（Ｍ）、シアン（Ｃ）、ブラック（Ｋ）などのトナーである。消色トナーは、通常トナーと同様に有色のトナーであり、例えば青色である。消色トナーは、通常トナーがシートに定着する定着温度よりも高い消色温度で加熱されることで消色する。
【００１９】
定着部１５０は、搬送路１３２Ａに沿って画像形成部１４０の下流に配置される。定着部１５０は加熱ローラ１５２と加圧ローラ１５４を備える。加熱ローラ１５２は、シートの第１の面側からシートに熱を加える。加圧ローラ１５４はシートの第２の面側からシートに圧力を与える。定着部１５０は、この熱と圧力とによって、画像を形成する際にはシートに転写されたトナーを定着させる。
【００２０】
排紙部１６０は、排紙ローラ１６２、排紙トレイ１６４を備える。排紙ローラ１６２は、搬送されてきたシートを排紙トレイ１６４へ搬送し排紙する。排紙トレイ１６４は排紙されたシートを積載する。
【００２１】
図２は、画像処理装置１００のハードウェア構成を示す制御ブロック図である。画像処理装置１００は制御部１７０、読取部１１０、搬送部１３０、画像形成部１４０、定着部１５０、排紙部１６０、記憶部１８０、コントロールパネル１９０、通信インターフェース（Ｉ／Ｆ）２００、およびカウント処理部２１０を有する。画像処理装置１００の各部は、バス２２０を介して接続される。なお、以下の説明では既に図１で説明済みの構成については説明を省略する。
【００２２】
制御部１７０は、ＣＰＵ（Ｃｅｎｔｒａｌ  Ｐｒｏｃｅｓｓｉｎｇ  Ｕｎｉｔ）或いはＭＰＵ（Ｍｉｃｒｏ  Ｐｒｏｃｅｓｓｉｎｇ  Ｕｎｉｔ）からなるプロセッサ１７２とメモリ１７４とを有する。メモリ１７４は、例えば、半導体メモリであり、各種制御プログラムを格納するＲＯＭ（Ｒｅａｄ  Ｏｎｌｙ  Ｍｅｍｏｒｙ）１７６と、プロセッサ１７２に一時的な作業領域を提供するＲＡＭ（Ｒａｎｄｏｍ  Ａｃｃｅｓｓ  Ｍｅｍｏｒｙ）１７８を有する。ＲＡＭ１７８は、読取部１１０で読み取った画像を一時的に保存しても良い。制御部１７０は、ＲＯＭ１７６に格納された各種制御プログラム等に基づいて、画像処理装置１００の各部を制御する。
【００２３】
記憶部１８０は、読取部１１０が読み取った画像データを保存する。また、記憶部１８０は読取部１１０によって搬送されたシートの枚数を記憶する。以下の説明では、記憶部１８０が記憶するシートの枚数に関する情報を枚数情報と称する。記憶部１８０は、例えば、ハードディスクドライブ、その他の磁気記憶装置、光学式記憶装置、若しくはフラッシュ・メモリ等の半導体記憶装置、又はこれらの任意の組み合わせであって良い。
【００２４】
コントロールパネル１９０は、表示部１９２及び操作部１９４を備える。表示部１９２は、液晶ディスプレイ及び有機ＥＬ（Ｅｌｅｃｔｒｏ  Ｌｕｍｉｎｅｓｃｅｎｃｅ）ディスプレイ等の表示装置である。表示部１９２は、画像処理装置１００に関する種々の情報を表示する。操作部１９４は、複数のボタンを備え、ユーザの操作を受け付ける。操作部１９４は、ユーザによって行われた操作に応じた信号を制御部１７０に出力する。尚、表示部１９２と操作部１９４とは一体のタッチパネルとして構成されても良い。
【００２５】
図３は表示部１９２におけるホーム画面を示す図である。図３には各処理を行うためのモード移行ボタン１９２Ｃが表示されている。モード移行ボタン１９２Ｃとして「コピー」、「スキャン」、「ＦＡＸ」、「かんたんコピー」、「かんたんスキャン」、「カウント」および「設定」のボタンが表示されている。後述するように、ユーザがいずれかのモード移行ボタン１９２Ｃを選択すると画像処理装置１００は選択された処理を行うモードへ移行する。例えば、ユーザが手持ちの原稿をＡＤＦに読み取らせて得られた電子データを自身のＰＣへ送信したい場合、ユーザが「スキャン」のボタンを押下することで画像形成装置１００はスキャンモードへと移行する。
【００２６】
図２に戻り、通信Ｉ／Ｆ１８０は、外部の機器と接続するインターフェースである。通信Ｉ／Ｆ１８０は、例えば、Ｂｌｕｅｔｏｏｔｈ（登録商標）、赤外線接続、光接続といったＩＥＥＥ８０２．１５、ＩＥＥＥ８０２．１１、ＩＥＥＥ８０２．３、ＩＥＥＥ３３０４等の適切な無線又は有線を介してネットワーク上の外部装置と通信する。通信Ｉ／Ｆ１８０は、更に、ＵＳＢ規格の接続端子が接続されるＵＳＢ接続部やパラレルインターフェース等を含んでも良い。制御部１７０は、通信Ｉ／Ｆ１８０を介して外部機器と通信する。
【００２７】
カウント処理部２１０はシートを搬送した回数をカウントする。図４はカウント処理部２１０の構成を示すブロック図である。カウント処理部２１０はモード切替部２１２、カウント部２１４、およびカウント記憶部２１６を有する。カウント処理部２１０の構成としては、前述したＣＰＵやＭＰＵなどを用いることができる。また、画像処理装置１００が備える機能の一部または全部を、プロセッサとして機能するＡＳＩＣ（Application Specific Integrated Circuit）が実現してもよい。
【００２８】
モード切替部２１２は表示部１９２において「カウント」ボタンが選択された場合に画像処理装置１００を後述するカウントモードへ移行させる。
【００２９】
カウント部２１４は後述するように載置部から搬送されたシートの枚数をカウントする。カウント部２１４はシートが１枚搬送されるごとにカウント値をインクリメントする。例えば、載置部にシートが５枚載置され、５枚すべてが搬送された場合、カウント部２１４がカウントするカウント値は「５」となる。すなわち、カウント値とは搬送されたシートの枚数を示す。
【００３０】
カウント記憶部２１６はカウント部２１４がカウントしたカウント値を記憶する。ここに記憶されたカウント値は操作部１９５の操作に応じて表示部１９４などに表示できるようにすることが望ましい。カウント記憶部２１６の構成としては、前述した記憶部１８０を用いてもよい。
【００３１】
次に読取部１１０によるシートの枚数をカウントする処理（以下、カウント処理と称する）について説明する。ユーザが図３に示した表示部１９２のホーム画面において、「カウント」ボタンを選択すると画像形成装置１００はシートの枚数をカウントするモード（以下、カウントモードと称する）に移行する。
【００３２】
カウントモードに移行した画像処理装置１００は載置部にシートが載置されたか否かを載置センサによって検知する。載置部はシートを載置して搬送路１３２にシートを供給できるものであればよく、例えば読取トレイ１１２、シート収容部１２０、または手差しトレイ２２２である。その場合、読取トレイ１１４、シート収容部１２０、または手差しトレイ２２２のいずれを載置部として使用するかをユーザに選択させる、または予めも登録しておいてもよい。なお、以下の説明では載置部を読取トレイ１１２として説明する。センサはシートが載置されたことを検知できるものであればよく、例えばメカスイッチ、反射センサや透過センサなどを用いることができる。センサはシートが載置されていることを検知するとその旨を示す信号を制御部１７０へ送信する。
【００３３】
制御部１７０は読取部１１０にシートが載置された状態でカウント処理を開始する操作を受け付けると読取トレイ１１２に載置されたシートを読取部１１０内へ搬送する。カウント処理を開始する操作は例えばコントロールパネル１９０上にある操作部１９４のスキャン開始のボタンを押下する等の方法で行ってもよい。
【００３４】
シートの枚数をカウントする方法としては、例えば読取搬送部１１４にシートを検知できる搬送検知センサ１１４Ａを設けておき、シートが読取搬送路１１４を通過するたびにシートを検知した旨の信号を制御部１７０へ送信させる。制御部１７０はその回数に基づいて搬送されたシートの枚数をカウントしても良い。搬送検知センサ１１４Ａはシートが搬送されてきたことを検知できるものであればよく、例えばメカスイッチ、反射センサや透過センサなどを用いることができる。
【００３５】
なお、シートの枚数をカウントする方法はこれに限定されない。例えば、読取トレイ１１２の載置センサがシートの存在を検知した状態で制御部１７０が搬送処理を実行した回数に基づいてカウントしても良い。また読取排紙部１１８に排紙センサ１１８Ａを設けておき、制御部１７０は読取排紙部１１８が排紙したシートの枚数に基づいてカウントしても良い。また、スキャナ１１６によりシートを読取った回数に基づいて枚数をカウントしてもよい。
【００３６】
制御部１７０は上記の方法にてカウントしたシートの枚数を表示部１９２に表示する。このとき、制御部１７０はカウント処理が終了してからカウントした枚数を表示してもよいし、シートをカウントしている最中に現在のカウントした枚数を表示してもよい。また、このカウントした情報は記憶部１８０に記憶して後から引き出せるようにしても良い。この時記憶した枚数の情報はある所定の時間が経過した際に消去されることが好ましい。例えば、カウントを実行してから５時間経過後に枚数の情報を消去する。あるいは所定の時刻になった際に枚数の情報を消去しても良い。例えば毎日午前０時になった際に記憶部１８０内の枚数の情報を消去する。これにより不要になった枚数の情報が記憶部１８０に残り続けることを防ぎつつ、ユーザは所定の時間内であれば再度カウントすることなく枚数の情報を確認することが出来る。
【００３７】
次に表示部１９２によるシートの枚数表示について説明する。図５は表示部１９２が表示する枚数表示の例を示す図である。図５の例ではカウント処理を行った日時、閉じるボタン１９２Ａ、登録ボタン１９２Ｂ、シートの枚数を示すメッセージが表示されている。
【００３８】
表示部１９２は閉じるボタン１９２Ａを押下されると枚数表示の画面を閉じる。また、表示部１９２は登録ボタン１９２Ｂを押下されると、カウント処理でカウントされた枚数を日時の情報と紐付けて記憶部１８０に記憶する。図５の例ではシートの枚数を示すメッセージとして「シートの枚数はＸ枚でした。」という文字が表示されている。なお、登録ボタン１９２Ｂは表示しなくても良い。その場合、閉じるボタン１９２Ａを押すことで枚数表示の画面を閉じてカウント処理でカウントされた枚数を日時の情報およびユーザ情報と紐付けて記憶部１８０に記憶する。あるいは閉じるボタン１９４Ａを押すことで枚数表示の画面を閉じてもよい。即ち、カウント処理でカウントされた枚数を記憶部１８０に記憶しない。
【００３９】
次に表示部１９２によるカウント履歴表示について説明する。図６は表示部１９２が表示するカウント履歴を示す図である。カウント履歴はカウント処理を行った際に記憶部１８０に記憶されるカウント処理毎のデータである。図６（ａ）はカウント履歴の一例を示す図である。図６（ａ）の例では実行されたカウント処理毎にデータ名が一覧で表示されている。表示部１９２はユーザによっていずれかのカウント処理を選択されると選択されたカウント処理に関するデータを記憶部１８０から参照し図５の枚数表示画面へ移行する。図６（ｂ）はカウント履歴の別の例を示す図である。図６（ｂ）の一覧ではデータ名に紐付けて枚数の情報が表示されている。このように表示することによって、各データを選択して枚数表示画面を開く手間を省略することが出来る。また図６（ｃ）では各カウント処理によってカウントされた枚数の情報がデータ名の一部として記載されている。これにより図６（ｂ）同様に各処理を選択して枚数表示画面を開く手間を省略することが出来る。
【００４０】
図７はカウント処理の制御を示すフローチャートである。以下の例では画像処理装置１００は表示部１９２にホーム画面を表示して待機している状態からスタートする。
【００４１】
コントロールパネル１９０がユーザから「カウント」ボタンの選択を受け付けると、制御部１７０はカウントモードへと移行する（ＡＣＴ１００）。カウントモードの状態でコントロールパネル１９０がユーザから枚数カウントを開始する操作を受け付けると（ＡＣＴ１０１）、枚数のカウントを０にリセットする（ＡＣＴ１０２）。制御部１７０は載置センサが読取トレイ１１２にシートが載置されているかを確認し（ＡＣＴ１０３）、載置センサがシートの載置を検知していれば（ＡＣＴ１０３、ＹＥＳ）、読取部１１０内へシートを搬送する（ＡＣＴ１０４）。その後、制御部１７０は枚数のカウントをインクリメントし処理をＡＣＴ１０３へ戻す（ＡＣＴ１０５）。なお、この時、制御部１７０はスキャナにて搬送したシート上の画像を読取っても良い。ＡＣＴ１０１にて、載置センサがシートを検知していない場合（ＡＣＴ１０３、ＮＯ）、制御部１７０は表示部１９２にカウントした値（第１のカウント値）をシートの枚数として表示する（ＡＣＴ１０６）。その後、制御部１７０はカウントしたシートの枚数を記憶部１８０に記憶し（ＡＣＴ１０７）、一連の処理を終了する。
【００４２】
以上、本実施形態の画像処理装置１００は、読取トレイ１１２に載置されたシートを読取部１１０に搬送することでシートの枚数をカウントする。その際にコピー処理やシートの読み取り処理が行われないため処理の時間を短縮でき、余分な紙の消費を抑えることが出来る。
【００４３】
なお、上述したように記憶部１８０はカウントしたシートの枚数を一時的に保存しておくことが望ましい。これにより一度カウント処理を行った書類についてユーザが枚数を忘れてしまった場合であってももう一度カウント処理を行う必要がなくなる。このようにして記憶したシートの枚数は図６のカウント履歴画面にて表示できるようにする。
【００４４】
なお、カウント処理にてシートを読取部１１０内に搬送する際、制御部１７０はシートの表面をスキャナにて読取り、画像データとして記憶部１８０に保存しても良い。この画像データは無線通信を介してサーバ上にアップロードする、ｅ−ｍａｉｌにて外部機器に送信する、または画像形成部１４０にて印刷などの方法で利用可能となる。
【００４５】
（第２の実施形態）
次に第２の実施形態について説明する。第２の実施形態の画像処理装置１００はカウント処理として手差しトレイ２２２に載置されたシートに対しシート番号を形成する。シート番号は画像処理装置１００がシートを手差しトレイ２２２から画像処理装置１００内に搬送する際にカウントされた値と同じ値である。手差しトレイ２２２は載置トレイの一例である。以下、この処理をシート番号形成処理と称し、シート番号形成処理を実行するモードをシート番号形成モードと称する。なお、以下の説明では実施形態１で説明した構成については説明を省略する。
【００４６】
シートの枚数をカウントする方法としては、例えば搬送部１３０にシートを検知できるセンサ（図示せず）を設けておき、シートが搬送路１３０を通過するたびにシートを検知した旨の信号を制御部１７０へ送信する。制御部１７０はその回数に基づいてカウントしても良い。センサはシートが搬送されてきたことを検知できるものであればよく、例えばメカスイッチ、反射センサや透過センサなどを用いることができる。
【００４７】
なお、シートの枚数をカウントする方法はこれに限定されない。例えば、手差しトレイ２２２に載置センサ（図示せず）を設け、載置センサがシートの存在を検知した状態で制御部１７０が搬送処理を実行した回数に基づいてカウントしても良い。
【００４８】
図８はカウント処理における制御フローチャートである。以下の例では画像処理装置１００は待機している状態から説明する。
【００４９】
コントロールパネル１９０がユーザから「シート番号形成」ボタンの選択を受け付けると、制御部１７０はシート番号形成モードへ移行する（ＡＣＴ２００）。シート番号形成モードの状態でコントロールパネル１９０がユーザからシート番号形成を開始する操作を受け付けると（ＡＣＴ２０１）、枚数のカウントを０にリセットする（ＡＣＴ２０２）。制御部１７０は手差しトレイ２２２にシートが載置されているかを確認し（ＡＣＴ２０３）、シートが載置されていれば（ＡＣＴ２０３、ＹＥＳ）、画像処理装置１００内へシートを搬送する（ＡＣＴ２０４）。その後、制御部１７０は枚数のカウントをインクリメントする（ＡＣＴ２０５）。制御部１７０は搬送されてきたシート上に画像形成部１４０によって現在のカウントと同じ値（第２のカウント値）の数字をシート番号として形成する（ＡＣＴ２０６）。その後、処理をＡＣＴ２０３へ戻す。ＡＣＴ２０３にて、手差しトレイ２２２にシートが載置されていない場合（ＡＣＴ２０３、ＮＯ）、制御部１７０は一連の処理を終了する
なお、載置トレイとして手差しトレイ２２２を例に説明したがシート収容部１２０を用いてもよい。
【００５０】
このように画像処理装置１００は載置部に載置されたシートに対しシート番号を形成するためコピー処理を行う場合に比べ資源の消費を抑えることができる。
【００５１】
（変形例）
次に第２の実施形態の変形例について説明する。本変形例では、画像処理装置１００は第１の実施形態で説明したように読取部１１０でシートの枚数をカウントした後、第２の実施形態で説明したようにシート番号形成モードに移行してもよい。その際、読取部１１０でカウントしたシートを手差しトレイ２２２にセットするように表示部１９２にメッセ―ジを表示してもよい。
【００５２】
図９は枚数カウント後の表示部１９２の表示である。表示部１９２には「枚数はＸ枚でした。紙を手差しトレイ２２２に移動してください」の文字が表示されている。これによりカウント処理を行った後にシート上にページ番号Ｎの形成を行いたいユーザにシートを手差しトレイ２２２に移動することを促すことが出来る。また、表示部１９４に表示されたカウント履歴画面からカウント履歴を選択することで表示部１９４が図９の画面に移行するようにしてもよい。
【００５３】
図１０は変形例におけるカウント処理部２１０の構成を示すブロック図である。カウント処理部２１０はモード切替部２２２、カウント部２１４、およびカウント記憶部２１６、およびカウント比較部２２８を有する。カウント処理部２１０の構成としては、前述したＣＰＵやＭＰＵなどを用いることができる。また、画像処理装置１００が備える機能の一部または全部を、プロセッサとして機能するＡＳＩＣ（Application Specific Integrated Circuit）が実現してもよい。なお、図４にて説明した構成については説明を省略する。
【００５４】
カウント比較部２２８はシート番号形成処理においてカウント部２１４がカウントしたカウント値（第２のカウント値）と、カウント記憶部２１６に記憶されているカウント値（第３のカウント値）を比較する。
【００５５】
カウント記憶部２１６に記憶されているカウント値とは、例えばシート番号形成処理を行う前に同一ユーザによって行われたカウント処理におけるカウント値である。または、図６に示したカウント履歴画面にてユーザがいずれかのカウント履歴を選択すると表示部１９４が図９の画面に移行するようにしてもよい。
【００５６】
これにより例えばカウント処理でカウントされたカウント値が５０であったのに対し、シート番号形成処理でカウントされたカウント値が４９だった場合に表示部１９４にエラーを表示することができる。これによりシートの枚数がずれたことをユーザに知らせ、シートが紛失していることに気付かせることが出来る。
【００５７】
なお、カウントモードにおいて、載置部として読取トレイ１１４を指定しているにも関わらずシートが手差しトレイ２２２など別の載置部へセットされている場合はコントロールパネル１９０にエラーの表示をだしてもよい。または、画像形成装置１００をシート番号形成モードに切り替えてもよい。
【００５８】
また、シート番号形成モードにおいて、手差しトレイ２２２ではなく読取トレイ１１４にシートがセットされている場合、コントロールパネル１９０にエラーの表示をだしてもよい。または、画像形成装置１００をカウントモードに切り替えてもよい。
【００５９】
（第３の実施形態）
次に第３の実施形態について説明する。この実施形態の画像処理装置１００は読取部１１０がシートを読取って画像データを生成する際にその画像データ内の各ページにシート番号を追加する。なお、以降この処理をシート番号追加処理と称する。
【００６０】
図１１は読取部１１０がシートから読み取って生成した画像データ（以下、第１の画像データと称する）Ｄ１を示す。図９は生成された画像データにシート番号が追加された後の画像データ（以下、第２の画像データと称する）Ｄ２を示す。
【００６１】
図１２の第１の画像データＤ１にはシート上に形成されていた文字情報が示されている。この例では会議名、日付、議題、結論が示されている。図１２の第２の画像データＤ２には第１の画像データＤ１の内容に加え、シート番号Ｎが追加されている。図１２の例ではシート番号Ｎ「１」が示されている。シート番号Ｎは上述したようにシートが読取部１１０内に搬送される際にカウントされた値と同等である。つまり、１枚目に搬送されたシートから読み取られた画像データにはページ番号Ｎとして「１」が追加される。２枚目以降のシートから読み取られた画像データについても同様にカウントの値が追加される。
【００６２】
図１３はページ番号追加処理を示すフローチャートである。以下の例では画像処理装置１００は待機している状態からスタートする。
【００６３】
コントロールパネル１９０がユーザから「ページ番号追加」ボタンの選択を受け付けると、制御部１７０はページ番号追加モードへ移行する（ＡＣＴ３００）。ページ番号追加モードの状態でコントロールパネル１９０がユーザからページ番号追加を開始する操作を受け付けると（ＡＣＴ３０１）、枚数のカウントを０にリセットする（ＡＣＴ３０２）。制御部１７０は載置センサが読取トレイ１１２にシートが載置されているかを確認し（ＡＣＴ３０３）、載置センサがシートの載置を検知していれば（ＡＣＴ３０３、ＹＥＳ）、読取部１１０内へシートを搬送する（ＡＣＴ３０４）。その後、制御部１７０は枚数のカウントをインクリメントする（ＡＣＴ３０５）。その後、制御部１７０は読取部１１０にてシート上の画像をスキャンする（ＡＣＴ３０６）。制御部は読取部１１０が取得した画像データ上に現在のカウントの値を追加し処理をＡＣＴ３０１へ戻す（ＡＣＴ３０７）。ＡＣＴ３０３にて、載置センサがシートを検知していない場合（ＡＣＴ３０３、ＮＯ）、制御部１７０は一連の処理を終了する。
【００６４】
なお、上記の例では各シート上の画像を読取る毎に画像データ上にシート番号を追加していたがこれに限定されない。例えば、全てのシートの読み取りが終了した後に各ページに対応する箇所にシート番号を追加しても良い。
【００６５】
なお、シート番号を追加する位置は画像データ中の文字データや図形データ等に被らない位置を選択してもよい。例えば、フォーマットとしてシート番号を印刷する位置をあらかじめ複数登録しておき、その中から画像データ中の文字データや図形データと被らない位置を選択してもよい。または、文字データや図形データの位置を避けるようにシート番号を追加する座標を変更するようにしてもよい。
【００６６】
以上の構成をとることにより、ユーザは余分なコピー処理やスキャン処理をせずに、載置トレイにセットされたシートの枚数をカウントすることができる。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
１００…画像処理装置
１１０…読取部
１１２…読取トレイ
１１２Ａ…載置センサ
１１４…読取搬送部
１１６…スキャナ
１３０…搬送部
１４０…画像形成部
１５０…定着部
１６０…排紙部
１７０…制御部
１８０…記憶部
１９０…コントロールパネル
２２２…手差しトレイ
【図１】
2020191515.tif 000003
【図２】
2020191515.tif 000004
【図３】
2020191515.tif 000005
【図４】
2020191515.tif 000006
【図５】
2020191515.tif 000007
【図６】
2020191515.tif 000008
【図７】
2020191515.tif 000009
【図８】
2020191515.tif 000010
【図９】
2020191515.tif 000011
【図１０】
2020191515.tif 000012
【図１１】
2020191515.tif 000013
【図１２】
2020191515.tif 000014
【図１３】
2020191515.tif 000015